(57)【要約】【課題】動作モードに関わらず稼動時でも使用されていないユニットや回路などに供給されている電源を遮断して消費電力の削減が図られた画像形成装置を提供すること。【解決手段】画像形成装置は、各ユニットや回路への供給電源を遮断する複数の電源遮断機構を有する電源遮断部を備え、主電源からの各ユニットへの電源供給を、自装置が稼動時であってもメイン制御基板からの各ユニットや回路に対応した複数の電源ＯＮ／ＯＦＦ信号に基づいて制御する。【選択図】図１
2010217499.tif 000002
【特許請求の範囲】
【請求項１】
主電源から電源供給を受けて動作する複数のユニットと、
前記複数のユニットへの主電源からの供給電源を遮断する前記複数のユニットに対応した複数の電源遮断機構を有する電源遮断部と、
前記電源遮断部に対して前記電源遮断機構を制御する電源ＯＮ／ＯＦＦ信号を送るメイン制御基板とを備える画像形成装置であって、
自装置が稼動時であっても、前記電源遮断部は、前記メイン制御基板から送られた前記複数の電源遮断機構に対応した複数の電源ＯＮ／ＯＦＦ信号に基づいて前記複数の電源遮断機構を制御し、前記複数のユニットへの主電源からの供給電源を遮断することを特徴とする画像形成装置。
【請求項２】
供給電源を遮断するユニットは、前記複数のユニットの消費電力に応じて決定することを特徴とする請求項１記載の画像形成装置。
【請求項３】
供給電源を遮断するユニットは、表示部に表示された前記複数のユニットの情報に対するユーザーによる選択操作を受け付けて決定することを特徴とする請求項１または２記載の画像形成装置。
【請求項４】
表示部に前記複数のユニットが供給電源を遮断された場合のコピー速度への影響を表示することを特徴とする請求項１から３のいずれか１項に記載の画像形成装置。
【請求項５】
主電源から電源供給を受けて動作する複数の回路と、
前記複数の回路への主電源からの供給電源を遮断する前記複数の回路に対応した複数の電源遮断機構を有する電源遮断部と、
前記電源遮断部に対して前記電源遮断機構を制御する電源ＯＮ／ＯＦＦ信号を送るメイン制御基板とを備える画像形成装置であって、
自装置が稼動時であっても、前記電源遮断部は、前記メイン制御基板から送られた前記複数の電源遮断機構に対応した複数の電源ＯＮ／ＯＦＦ信号に基づいて前記複数の電源遮断機構を制御し、前記複数の回路への主電源からの供給電源を遮断することを特徴とする画像形成装置。
【発明の詳細な説明】
【技術分野】
【０００１】
本発明は稼動時にユニット毎または基板内回路毎に供給電源を遮断する技術に関する。
【背景技術】
【０００２】
近年、画像形成装置に限らず電気を必要とする電器製品は省エネルギーであることが義務付けられつつある。
地球規模の環境破壊が問題となっている昨今、それは今後一段と強まっていくであろうと推測できる。
【０００３】
一般ユーザーにおいてもそのような認識は日に日に高まり、より環境に優しい電器製品の購入を選択する方向へなっていくと思われる。
【０００４】
画像形成装置としてのコピー機において、最近は電源ＯＦＦモードなどにおいて、機械未使用時は操作パネルなどの照明の点灯を消し、電力をあるレベルまで落として、消費電力を少なくする工夫を行っている。
そして、コピーボタンＯＮ、転写紙のＡＤＦへのセットなどのトリガで通常状態に復帰するような構成となっている。
【０００５】
特許文献１には、プリンタ等の負荷装置の動作モードに応じて発電装置の発電状態を変更し、低消費の発電動作を行う技術が開示されている。
【発明の概要】
【発明が解決しようとする課題】
【０００６】
しかしながら、上述の従来技術では、電源ＯＦＦモード時の消費電力低減に限らず、稼動時（コピー時等）でも使用されていないユニットや基板上での内部回路などに供給されている電源を細かく遮断することでハード的により一層の消費電力の削減を図ることは困難であった。
【０００７】
本発明は上述のごとき実情に鑑みてなされたもので、その目的は、動作モードに関わらず稼動時でも使用されていないユニットや回路などに供給されている電源を遮断して消費電力の削減が図られた画像形成装置を提供することを目的とする。
【課題を解決するための手段】
【０００８】
請求項１に記載の発明は、主電源から電源供給を受けて動作する複数のユニットと、複数のユニットへの主電源からの供給電源を遮断する複数のユニットに対応した複数の電源遮断機構を有する電源遮断部と、電源遮断部に対して電源遮断機構を制御する電源ＯＮ／ＯＦＦ信号を送るメイン制御基板とを備える画像形成装置であって、自装置が稼動時であっても、電源遮断部は、メイン制御基板から送られた複数の電源遮断機構に対応した複数の電源ＯＮ／ＯＦＦ信号に基づいて複数の電源遮断機構を制御し、複数のユニットへの主電源からの供給電源を遮断することを特徴とする画像形成装置である。
【０００９】
請求項２に記載の発明は、請求項１記載の画像形成装置において、供給電源を遮断するユニットは、複数のユニットの消費電力に応じて決定することを特徴とする。
【００１０】
請求項３に記載の発明は、請求項１または２記載の画像形成装置において、供給電源を遮断するユニットは、表示部に表示された複数のユニットの情報に対するユーザーによる選択操作を受け付けて決定することを特徴とする。
【００１１】
請求項４に記載の発明は、請求項１から３のいずれか１項に記載の画像形成装置において、表示部に複数のユニットが供給電源を遮断された場合のコピー速度への影響を表示することを特徴とする。
【００１２】
請求項５に記載の発明は、主電源から電源供給を受けて動作する複数の回路と、複数の回路への主電源からの供給電源を遮断する複数の回路に対応した複数の電源遮断機構を有する電源遮断部と、電源遮断部に対して電源遮断機構を制御する電源ＯＮ／ＯＦＦ信号を送るメイン制御基板とを備える画像形成装置であって、自装置が稼動時であっても、電源遮断部は、メイン制御基板から送られた複数の電源遮断機構に対応した複数の電源ＯＮ／ＯＦＦ信号に基づいて複数の電源遮断機構を制御し、複数の回路への主電源からの供給電源を遮断することを特徴とする画像形成装置である。
【発明の効果】
【００１３】
画像形成装置の動作モードに関わらず稼動時でも使用されていないユニットや回路などに供給されている電源を遮断して消費電力を削減することができる。
【図面の簡単な説明】
【００１４】
【図１】本発明の第一の実施の形態における画像形成装置の全体構成を示す概略図である。
【図２】本発明の第一の実施の形態における画像形成装置の概略ブロック図である。
【図３】本発明の第一の実施の形態における操作部の一例を示した図である。
【図４】本発明の第一の実施の形態における操作部の液晶タッチパネルの表示一例を示した図である。
【図５】本発明の第一の実施の形態の処理動作を示すフローチャートである。
【図６】本発明の第二の実施の形態における基板内の概略ブロック図である。
【図７】本発明の第三の実施の形態における操作部の液晶タッチパネルの表示一例を示した図である。
【発明を実施するための形態】
【００１５】
本発明の第一の実施の形態について以下に説明する。
【００１６】
図１は本実施の形態における画像形成装置１の全体構成を示す概略図である。
【００１７】
自動原稿送り装置（以下、「ＡＤＦ」という。）２００にある原稿台上に、原稿の画像面を上にして置かれた原稿束は、操作部上のスタートキーが押下されると、読取ユニット５０に送られ、原稿画像として電気的に読み込まれる。
【００１８】
読取ユニット５０によって読み取られた原稿は、そのままＡＤＦ２００によって原稿排出トレイに排出される。この原稿動作の詳細は後述する。
【００１９】
次に、印刷動作であるが、第１トレイ８、第２トレイ９、第３トレイ１０に積載された転写紙は、各々、第１給紙ユニット１１、第２給紙ユニット１２、第３給紙ユニット１３によって給紙され、縦搬送ユニット１４によって感光体１５に当接する位置まで搬送される。
【００２０】
読取ユニット５０にて読み込まれた画像データは、書込ユニット５７からのレーザによって感光体１５に書き込まれ、現像ユニット２７を通過することによってトナー像が形成される。そして、転写紙は感光体１５の回転と等速で搬送ベルト１６によって搬送されながら、感光体１５上のトナー像が転写される。その後、定着ユニット１７にて画像を定着させ、排紙ユニット１８によって後処理装置のフィニシャ１００に排出される。
【００２１】
後処理装置のフィニシャ１００は、本体の排紙ローラによって搬送された転写紙を、通常排紙ローラ１０２方向と、ステープル処理部方向に導く事ができる。切替板１０１を上に切り替えることにより、搬送ローラ１０３を経由して通常排紙トレイ１０４側に排紙することができる。また、切替板１０１を下方向に切り替えることで、搬送ローラ１０５および排紙ローラ１０７を経由して、ステープル台１０８に搬送することができる。ステープル台１０８に積載された転写紙は、一枚排紙される毎に紙揃え用のジョガー１０９によって、紙端面が揃えられ、一部のコピー完了と共にステープラ１０６によって綴じられる。ステープラ１０６で綴じられた転写紙群は自重によって、ステープル完了排紙トレイ１１０に収納される。
【００２２】
一方、通常排紙トレイ１０４は前後に移動可能な排紙トレイである。前後に移動可能な通常排紙トレイ１０４は、原稿毎、あるいは、画像メモリによってソーティングされたコピー部毎に、前後に移動し、簡易的に排出されてくるコピー紙を仕分けるものである。
【００２３】
転写紙の両面に画像を作像する場合は、各給紙トレイ８〜１０から給紙され作像された転写紙を通常排紙トレイ１０４側に導くのではなく、経路切り替えの為の分岐爪１１２を上側にセットすることで、一旦、両面給紙ユニット１１１にストックする。その後、両面給紙ユニット１１１にストックされた転写紙は再び感光体１５に作像されたトナー画像を転写するために、両面給紙ユニット１１１から再給紙され、経路切り替えの為の分岐爪１１２を下側にセットし、通常排紙トレイ１０４に導く。この様に転写紙の両面に画像を作成する場合に両面給紙ユニット１１１は使用される。
【００２４】
感光体１５、搬送ベルト１６、定着ユニット１７、排紙ユニット１８および現像ユニット２７は、メインモータによって駆動され、各給紙ユニット１１〜１３は、メインモータの駆動を各々給紙クラッチによって伝達駆動される。縦搬送ユニット１４は、メインモータの駆動を中間クラッチによって伝達駆動される。
【００２５】
次に、画像読取部および画像を記録面上に潜像形成するまでの動作の詳細を説明する。
【００２６】
読取ユニット５０は、原稿を載置するコンタクトガラス６と光学走査系で構成されており、光学走査系は、露光ランプ５１、第１ミラー５２、レンズ５３、ＣＣＤセンサ５４等で構成されている。露光ランプ５１および第１ミラー５２は図示しない第１キャリッジ上に固定され、第２ミラー５５および第３ミラー５６は図示しない第１キャリッジ上に固定されている。
【００２７】
原稿の読取には原稿をコンタクトガラス上において、光学走査系を移動させて読み取る方法と、光学走査系は読取位置に固定して、原稿を移動して読み取る方法の２通りがある。光学走査系の移動で原稿像を読み取るときには、光路長が変わらないように、第１キャリッジ第２キャリッジとが２対１の相対速度で機械的に走査される。この光学走査系は、図示しないスキャナ駆動モータにて駆動される。
【００２８】
原稿移動の場合は、光学走査系は固定読取位置に移動して、原稿画像が読み取られる。どちらの場合においても原稿画像は、ＣＣＤセンサ５４によって読み取られ、電気信号に変換されて処理される。
【００２９】
書込ユニット５７は、レーザ出力ユニット５８、結像レンズ５９およびミラー６０で構成され、レーザ出力ユニット５８の内部には、レーザ光源であるレーザダイオードおよびモータによって高速で定速回転する回転多面鏡（ポリゴンミラー）が備わっている。レーザ出力ユニット５８より照射されるレーザ光は、定速回転するポリゴンミラーで偏光され、結像レンズ５９を通り、ミラー６０で折り返され、感光体面上に集光結像する。偏光されたレーザ光は、感光体が回転する方向と直行する方向（主走査方向）に露光走査され、画像信号のライン単位の記録を行なう。感光体の回転速度と記録密度に対応した所定の周期で主走査を繰り返すことによって、感光体面上に画像（静電潜像）が形成される。
【００３０】
上述のように、書込ユニット５７から出力されるレーザ光が、画像作像系の感光体１５に照射される。図示しないが感光体１５の一端近傍のレーザビームを照射される位置に、主走査同期信号を発生するビームセンサが配置されている。この主走査同期信号をもとに主走査方向の画像記録開始タイミングの制御および後述する画像信号の入出力を行なうための制御信号の生成を行なう。
【００３１】
色の３原色であるシアン、イエロー、マゼンタと黒で感光体面上の静電潜像に４色の画像を現像し、転写体（中間転写ベルト）に順次重ね、重ねられた像を転写紙に転写し、定着することで、フルカラー画像を得ている。
【００３２】
図２は本実施の形態における画像形成装置１の概略ブロック図である。
【００３３】
ＰＳＵ（Power Supply Unit）２０は、操作部２２、ＡＤＦ２３、両面印刷部２４、バンク２５、スキャナ２６およびフィニッシャー２７などの画像形成装置１の種々の位置に設けられた他ユニットへ主電源からの電源供給を行う。ＰＳＵ２０の設置位置は、画像形成装置１の任意の位置であってよい。
【００３４】
ＰＳＵ２０は、電源遮断部２１を備える。
電源遮断部２１は、それぞれユニット毎に供給電源の入り切りが可能で電源を遮断できる構成となっている。すなわち、操作部２２に対してはスイッチ２１２により供給電源の入り切りを行う。またＡＤＦ２３に対してはスイッチ２１３により供給電源の入り切りを行う。また両面印刷部２４に対してはスイッチ２１４により供給電源の入り切りを行う。またバンク２５に対してはスイッチ２１５により供給電源の入り切りを行う。またスキャナ２６に対してはスイッチ２１６により供給電源の入り切りを行う。またフィニッシャー２７に対してはスイッチ２１７により供給電源の入り切りを行う。なお、それぞれのユニット毎に対応するスイッチが設けられている構成に限らず、所定の一のスイッチが複数のユニットに対して供給電源の入り切りを行う構成（例えば、上記の構成で、スイッチ２１３がなく、スイッチ２１２が操作部２２およびＡＤＦ２３に対して供給電源の入り切りを行う）や、所定のユニットに対して供給電源の入り切りを行うスイッチが複数設けられる構成であってもよい。
電源遮断部２１ではＡＣ電圧などについてはリレーなどの電源ラインを遮断する部品を使用して構成し、メイン制御基板２８にて制御する。
【００３５】
メイン制御基板２８は、電源遮断部２１がそれぞれのユニット毎に供給電源の入り切りを行う指示を出すＯＮ／ＯＦＦ遮断信号をＰＳＵ２０に送る。メイン制御基板２８の設置位置は、画像形成装置１の任意の位置であってよい。
【００３６】
また、電源遮断部２１では各ユニットに供給される電流を測定することで各ユニットで消費されている電力量を算出することができる。よって遮断されたことでどれほどの電力が削減されたかがわかる。その電力量は、例えば、図３に示すような操作部３０の液晶タッチパネル３１上で、例えば図４に示すような表示がなされることであってもよい。
【００３７】
図３は、操作部３０の一例を示した図である。操作部３０には、液晶タッチパネル３１、テンキー３２、クリア／ストップキー３３、スタートキー３４、予熱キー３５、リセットキー３６等があり、液晶タッチパネル３１には、機能キー、部数、画像形成装置の状態を示すメッセージ等が表示される。また、コピー機能、蓄積コピー機能およびプリンタ機能を切り替える機能切換キー３８がある。ここで、コピー機能は、スキャナで読みとった画像を転写紙に指定された動作で複写する機能である。蓄積コピー機能は、スキャナで読みとった画像や、外部からの画像データを蓄積して、機械の操作でプリントできる機能である。プリンタ機能は、外部からＬＡＮ及びパラレルＩ/Ｆ等で接続され、外部からのプリント画像データとその指示を受けて、プリント出力する機能である。
【００３８】
図４は、操作部３０の液晶タッチパネル３１の表示一例を示した図である。オペレータが液晶タッチパネル３１に表示された各ユニット名を示すキーにタッチすることで、選択されたキーを黒く反転させ、供給電源を遮断するユニットを選択することであってもよい。液晶タッチパネルは、ドット表示器を使用している為、その時の最適な表示をグラフィカルに行なうことが可能である。
図４に示す、本実施の形態における、各ユニットで消費されている電力量は、画像形成装置１の本体では１４４５Ｗ、ＡＤＦ２３では４８Ｗ、バンク２５では３６８Ｗ、フィニッシャー２７では２４Ｗ、ＢＣＵ（Bus control Unit）では６５８Ｗ、ＰＳＵ２０では３２０Ｗ、ＩＰＵでは２４０Ｗ、ＨＶＰでは３５Ｗである。このような表示により、ユーザーに通知され、ユーザーは、どのユニットの供給電源を遮断すればどれくらいの電力が節約できるかがわかる。
【００３９】
判断基準としては以下のようなものが考えられる。コピー時ではＩＰＵ、ＨＶＰなどの電源は当然必要であるが、待機時は不必要となる。またコピー時であってもＦＡＸ機能などは使用しなければ不必要であり、原稿をスキャンする場合などは本体側ユニットで給紙部、定着部などの電源は必要ない。
【００４０】
なお、ユーザーが判断して遮断するユニットを選択するモードのみでなく、画像形成装置側（メイン制御基板２８）で所定のルールに従って自動で判断して電源を遮断するモードがあってもよい。自動で遮断箇所を制御することで最適の消費電力となるように選択することも可能となる。
【００４１】
図５は本実施の形態の処理動作を示すフローチャートである。
図５を参照すると、まず、画像形成装置のメイン制御基板２８は、ユーザーが図４に示すような液晶タッチパネル３１に表示された各ユニット名を示すキーにタッチすることで、供給電源を遮断するユニットを選択した操作を受け付ける（Ｓ５０１）。なお、画像形成装置側（メイン制御基板２８）で自動で判断して電源を遮断するユニットを選択することであってもよい。
【００４２】
メイン制御基板２８は、ＰＳＵ２０に対して、選択されたユニットの供給電源を遮断する複数のＯＮ／ＯＦＦ遮断信号を送る（Ｓ５０２）。
【００４３】
ＰＳＵ２０の電源遮断部２１は、各ユニット１つ１つに対して、選択されたユニットの供給電源を遮断し、選択されなかったユニットには電源を供給する（Ｓ５０３）。すなわち、操作部２２に対してはスイッチ２１２により供給電源の入り切りを行う。またＡＤＦ２３に対してはスイッチ２１３により供給電源の入り切りを行う。また両面印刷部２４に対してはスイッチ２１４により供給電源の入り切りを行う。またバンク２５に対してはスイッチ２１５により供給電源の入り切りを行う。またスキャナ２６に対してはスイッチ２１６により供給電源の入り切りを行う。またフィニッシャー２７に対してはスイッチ２１７により供給電源の入り切りを行う。
【００４４】
これにより動作モードに関わらず画像形成装置の稼動時（コピー時等）でも使用しないユニットの電源を遮断し、省エネを実施するものである。
【００４５】
次に、本発明の第二の実施の形態について以下に説明する。
【００４６】
本実施の形態における画像形成装置１の構成等は基本的に上記の第一の実施の形態と同様であるので重複する説明は省略し、異なる点のみを説明する。
【００４７】
本実施の形態では、図６の基板内の概略ブロック図に示すように、基板６０内でも回路毎に供給電源を遮断する電源遮断部６１を設け、各々の回路をパラレルで電源遮断可能とする点が上記の第一の実施の形態と異なる。
【００４８】
基板６０内の電源遮断部２１は、回路Ａ６２、回路Ｂ６３、回路Ｃ６４、回路Ｄ６５、回路Ｅ６６および回路Ｆ６７へ主電源からの電源供給を行う。
【００４９】
電源遮断部２１は、それぞれ回路毎に供給電源の入り切りが可能で、電源を遮断できる構成となっている。すなわち、回路Ａ６２に対してはスイッチ６１２により供給電源の入り切りを行う。また回路Ｂ６３に対してはスイッチ６１３により供給電源の入り切りを行う。また回路Ｃ６４に対してはスイッチ６１４により供給電源の入り切りを行う。また回路Ｄ６５に対してはスイッチ６１５により供給電源の入り切りを行う。また回路Ｅ６６に対してはスイッチ６１６により供給電源の入り切りを行う。また回路Ｆ６７に対してはスイッチ６１７により供給電源の入り切りを行う。
基板６０内での低電圧の遮断はＦＥＴなどを使用する。
【００５０】
メイン制御基板６８は、電源遮断部６１がそれぞれの回路毎に供給電源の入り切りを行う指示を出す遮断信号を電源遮断部６１に送る。
【００５１】
常時使用されている回路はまれであり、未使用時に回路供給電源を遮断することは可能である。判断基準としては以下のようなものが考えられる。たとえばＩＰＵでは画像データの各種処理を行っているが、一度処理を行ってしまえば、リピートの時は電源は必要となくなる。
【００５２】
この構成を画像形成装置内の必要なすべての基板に搭載することであってもよい。
【００５３】
なお、本実施の形態では、画像形成装置側（メイン制御基板２８）で所定のルールに従って自動で電源を遮断する回路を判断して電源を遮断するモードが主となるとが、ユーザーが判断して遮断する回路を選択するモードがあってもよい。
【００５４】
これにより動作モードに関わらず使用しない回路の電源を遮断し、省エネを実施するものである。
【００５５】
次に、本発明の第三の実施の形態について以下に説明する。
【００５６】
本実施の形態における画像形成装置１の構成等は基本的に上記の第一の実施の形態と同様であるので重複する説明は省略し、異なる点のみを説明する。
【００５７】
本実施の形態では、図７の操作部３０の液晶タッチパネル３１の表示一例を示した図に示すように、ユニットへの電源供給遮断で、電力低減、省エネのためにあえてコピー速度を低下させることをユーザーが判断、選択することができる点が上記の第一の実施の形態と異なる。
【００５８】
図７に示す、本実施の形態における、各ユニットへの電源供給遮断により削除されるユニット（図中では削除ユニット）のコピー速度への影響は、削除されるユニットがない場合の本来的なコピー速度は２０ＣＰＭ、バンク２５を削除では１２ＣＰＭ、フィニッシャー２７を削除では１２ＣＰＭ、ＩＰＵを削除では１２ＣＰＭ、ＡＤＦ２３を削除では１０ＣＰＭ、両面印刷部２４を削除では１２ＣＰＭ、プリンターとして使用する場合等のスキャナ２６を削除では５ＣＰＭ、ＦＡＸを削除では１０ＣＰＭである。このような表示により、ユーザーに通知され、ユーザーは、どのユニットの供給電源を遮断すればどれくらいコピーの生産性が落ちるかがわかり、許容できるコピーの生産性の範囲で適切な電源供給遮断により削除されるユニットの選択ができる。
【００５９】
図７の操作部３０の液晶タッチパネル３１の表示一例は、上記の第一の実施の形態の図４に示した表示と並列的に表示されたり、図４の表示の前後に表示されることであってよい。
【００６０】
なお、上述する各実施の形態は、本発明の好適な実施の形態であり、本発明の要旨を逸脱しない範囲内において種々の変更実施が可能である。
【符号の説明】
【００６１】
１    画像形成装置
６    コンタクトガラス
８    第１トレイ
９    第２トレイ
１０    第３トレイ
１１    第１給紙ユニット
１２    第２給紙ユニット
１３    第３給紙ユニット
１４    縦搬送ユニット
１５    感光体
１６    搬送ベルト
１７    定着ユニット
１８    排紙ユニット
２７    現像ユニット
５０    読取ユニット
５１    露光ランプ
５２    第１ミラー
５３    レンズ
５４    ＣＣＤセンサ
５５    第２ミラー
５６    第３ミラー
５７    書込ユニット
５８    レーザ出力ユニット
５９    結像レンズ
６０    ミラー
１００    フィニッシャ
１０１    切替板
１０２    通常排紙ローラ
１０３    搬送ローラ
１０４    通常排紙トレイ
１０５    搬送ローラ
１０６    ステープラ
１０７    排紙ローラ
１０８    ステープル台
１０９    ジョガー
１１０    ステープル完了排紙トレイ
１１１    両面給紙ユニット
１１２    分岐爪
２００    自動原稿送り装置
２０    ＰＳＵ
２１    電源遮断部
２２    ＡＤＦ
２３    ＰＳＵ
２４    両面印刷部
２５    バンク
２６    スキャナ
２７    フィニッシャー
２８    メイン制御基板
【先行技術文献】
【特許文献】
【００６２】
【特許文献１】特開２００８−１８６７２６号公報
【図１】
2010217499.tif 000003
【図２】
2010217499.tif 000004
【図３】
2010217499.tif 000005
【図４】
2010217499.tif 000006
【図５】
2010217499.tif 000007
【図６】
2010217499.tif 000008
【図７】
2010217499.tif 000009